(57)【要約】【課題】競りに参加可能な買い手数を増加させる。【解決手段】競り中に変化しない固定表示データ（Ｓ）と競り中に変化するリアルタイム表示データ（Ｒ）とに分け、リアルタイム表示データ（Ｒ）は競り中に繰り返し送信するが、固定表示データ（Ｓ）は競り中に送信しないか又はリアルタイム表示データ（Ｒ）よりも少ない頻度で送信する。【効果】固定表示データ（Ｓ）は例えば商品情報であり、特に画像を含む場合にはデータサイズが巨大になる。他方、リアルタイム表示データ（Ｒ）は例えば競り価格であり、画像データに比べてデータサイズはずっと小さい。競り中はリアルタイム表示データ（Ｒ）のみを繰り返し送信することで、競り中のトラフィック量が小さくなり、競りに参加可能な買い手数を増加させても、全買い手での競り価格のリアルタイム性を担保することが出来る。【選択図】図１
2007150568.tif 000002
【特許請求の範囲】
【請求項１】
ホスト（１０）と該ホスト（１０）に通信回線（３０）で接続された映像オークション用ディスプレイ装置（２０）とを備えた映像オークション・システムであって、前記ホスト（１０）は、一つの競り商品についての競り開始前に競り中に変化しない固定表示データ（Ｓ）と競り中に変化するリアルタイム表示データ（Ｒ）とを前記映像オークション用ディスプレイ装置（２０）へ送信し、競り中は前記リアルタイム表示データ（Ｒ）を前記映像オークション用ディスプレイ装置（２０）へ繰り返し送信し且つ前記固定表示データ（Ｓ）は送信しないか又は前記リアルタイム表示データ（Ｒ）よりも少ない頻度で送信し、前記映像オークション用ディスプレイ装置（２０）は、最新の前記固定表示データ（Ｓ）と最新の前記リアルタイム表示データ（Ｒ）とに基づく映像を表示することを特徴とする映像オークション・システム（１００）。
【請求項２】
請求項１に記載の映像オークション・システム（１００）において、前記ホスト（１０）は、前記固定表示データ（Ｓ）と前記リアルタイム表示データ（Ｒ）とを合成するためのフォーマットを含む制御データ（Ｃ）を前記前記映像オークション用ディスプレイ装置（２０）へ送信し、前記映像オークション用ディスプレイ装置（２０）は、最新の前記固定表示データ（Ｓ）と最新の前記リアルタイム表示データ（Ｒ）とを前記フォーマットに基づいて合成して映像を作成することを特徴とする映像オークション・システム（１００）。
【請求項３】
通信回線から通信データを受信するための通信インタフェース部（２１）と、前記通信データから一つの競り商品についての競り中に変化しない固定表示データ（Ｓ）および競り中に変化するリアルタイム表示データ（Ｒ）を分離抽出するデータ分離部（２２）と、最新の前記固定表示データ（Ｓ）と最新の前記リアルタイム表示データ（Ｒ）とに基づく映像を作成するオーバーレイ処理部（２５）と、前記映像を表示する映像表示部（２６）とを具備したことを特徴とする映像オークション用ディスプレイ装置（２０）。
【請求項４】
請求項３に記載の映像オークション用ディスプレイ装置（２０）において、前記データ分離部（２２）は、前記通信データから前記固定表示データ（Ｓ）と前記リアルタイム表示データ（Ｒ）とを合成するためのフォーマットを含む制御データ（Ｃ）を分離し、前記オーバーレイ処理部（２５）は、最新の前記固定表示データ（Ｓ）と最新の前記リアルタイム表示データ（Ｒ）とを前記フォーマットに基づいて合成して映像を作成することを特徴とする映像オークション用ディスプレイ装置（２０）。
【発明の詳細な説明】
【技術分野】
【０００１】
本発明は、映像オークション・システム及び映像オークション用ディスプレイ装置に関し、さらに詳しくは、競りに参加可能な買い手数を増加させうる映像オークション・システム及び映像オークション用ディスプレイ装置に関する。
【背景技術】
【０００２】
従来、ホストが、通信回線を介して、買い手毎のコンピュータに商品情報や競り価格を含む映像データを送信し、受信した映像データに基づいて買い手毎のコンピュータで映像を表示するオークション・システムが知られている（例えば、特許文献１、２参照。）。
【特許文献１】特開２００３−１６２６５３号公報
【特許文献２】特開２００４−５４３３３号公報
【発明の開示】
【発明が解決しようとする課題】
【０００３】
上記従来のオークション・システムでは、ホストから商品情報や競り価格を含む映像データを買い手毎のコンピュータに送信しているが、競り中に競り価格が変化するため、映像データを競り中に繰り返し送信する必要があった。
しかし、特に商品情報に画像を含む場合は映像データが巨大サイズとなり、その巨大サイズの映像データを繰り返し送信すると、トラフィック量が膨大になる。このため、全買い手での競り価格のリアルタイム性を担保するために、競りに参加可能な買い手数を制限しなければならない問題点があった。
そこで、本発明の目的は、競りに参加可能な買い手数を増加させうる映像オークション・システム及び映像オークション用ディスプレイ装置を提供することにある。
【課題を解決するための手段】
【０００４】
第１の観点では、本発明は、ホスト（１０）と該ホスト（１０）に通信回線（３０）で接続された映像オークション用ディスプレイ装置（２０）とを備えた映像オークション・システムであって、前記ホスト（１０）は、一つの競り商品についての競り開始前に競り中に変化しない固定表示データ（Ｓ）と競り中に変化するリアルタイム表示データ（Ｒ）とを前記映像オークション用ディスプレイ装置（２０）へ送信し、競り中は前記リアルタイム表示データ（Ｒ）を前記映像オークション用ディスプレイ装置（２０）へ繰り返し送信し且つ前記固定表示データ（Ｓ）は送信しないか又は前記リアルタイム表示データ（Ｒ）よりも少ない頻度で送信し、前記映像オークション用ディスプレイ装置（２０）は、最新の前記固定表示データ（Ｓ）と最新の前記リアルタイム表示データ（Ｒ）とに基づく映像を表示することを特徴とする映像オークション・システム（１００）を提供する。
競り中に変化しない固定表示データ（Ｓ）とは、例えば商品情報であり、特に画像を含む場合にはデータサイズが巨大になる。他方、競り中に変化するリアルタイム表示データ（Ｒ）とは、例えば競り価格であり、画像データに比べてデータサイズはずっと小さい。
そこで、上記第１の観点による映像オークション・システム（１００）では、リアルタイム表示データ（Ｒ）は競り中に繰り返し送信するが、固定表示データ（Ｓ）は競り中に送信しないか又はリアルタイム表示データ（Ｒ）よりも少ない頻度で送信する。これにより、競り中のトラフィック量が小さくなり、競りに参加可能な買い手数を増加させても、全買い手での競り価格のリアルタイム性を担保することが出来る。
【０００５】
第２の観点では、本発明は、前記第１の観点による映像オークション・システム（１００）において、前記ホスト（１０）は、前記固定表示データ（Ｓ）と前記リアルタイム表示データ（Ｒ）とを合成するためのフォーマットを含む制御データ（Ｃ）を前記前記映像オークション用ディスプレイ装置（２０）へ送信し、前記映像オークション用ディスプレイ装置（２０）は、最新の前記固定表示データ（Ｓ）と最新の前記リアルタイム表示データ（Ｒ）とを前記フォーマットに基づいて合成して映像を作成することを特徴とする映像オークション・システム（１００）を提供する。
上記第２の観点による映像オークション・システム（１００）では、固定表示データ（Ｓ）とリアルタイム表示データ（Ｒ）とを所望のフォーマットに基づいて合成することが出来る。
【０００６】
第３の観点では、本発明は、通信回線から通信データを受信するための通信インタフェース部（２１）と、前記通信データから一つの競り商品についての競り中に変化しない固定表示データ（Ｓ）および競り中に変化するリアルタイム表示データ（Ｒ）を分離抽出するデータ分離部（２２）と、最新の前記固定表示データ（Ｓ）と最新の前記リアルタイム表示データ（Ｒ）とに基づく映像を作成するオーバーレイ処理部（２５）と、前記映像を表示する映像表示部（２６）とを具備したことを特徴とする映像オークション用ディスプレイ装置（２０）を提供する。
上記第３の観点による映像オークション用ディスプレイ（２０）は、前記第１の観点による映像オークション・システム（１００）に好適に使用できる。
【０００７】
第４の観点では、本発明は、前記第３の観点による映像オークション用ディスプレイ装置（２０）において、前記データ分離部（２２）は、前記通信データから前記固定表示データ（Ｓ）と前記リアルタイム表示データ（Ｒ）とを合成するためのフォーマットを含む制御データ（Ｃ）を分離し、前記オーバーレイ処理部（２５）は、最新の前記固定表示データ（Ｓ）と最新の前記リアルタイム表示データ（Ｒ）とを前記フォーマットに基づいて合成して映像を作成することを特徴とする映像オークション用ディスプレイ装置（２０）を提供する。
上記第４の観点による映像オークション用ディスプレイ（２０）は、前記第２の観点による映像オークション・システム（１００）に好適に使用できる。
【発明の効果】
【０００８】
本発明の映像オークション・システム及び映像オークション用ディスプレイによれば、競り中のトラフィック量が小さくなり、競りに参加可能な買い手数を増加させても、全買い手での競り価格のリアルタイム性を担保することが出来る。
【発明を実施するための最良の形態】
【０００９】
以下、図に示す実施の形態により本発明をさらに詳細に説明する。なお、これにより本発明が限定されるものではない。
【実施例１】
【００１０】
図１は、実施例１にかかる映像オークション・システム１００を示す構成説明図である。
この映像オークション・システム１００は、ホスト１０と、多数の映像オークション用ディスプレイ２０とを、通信ケーブル３０で接続した構成である。
通信ケーブル３０は、例えば同軸ケーブルである。
【００１１】
ホスト１０は、売り手Ａにかかる商品についての競り中に変化しない固定表示データＳと競り中に変化するリアルタイム表示データＲとを別個に出力するＡレーン競りサーバ１と、売り手Ｂにかかる商品についての固定表示データＳとリアルタイム表示データＲとを別個に出力するＢレーン競りサーバ２と、固定表示データＳとリアルタイム表示データＲとを合成して映像を作成するためのフォーマットを含む制御データＣを出力するオーバーレイ表示フォーマット設定部１１と、固定表示データＳとリアルタイム表示データＲと制御データＣとを送信する映像オークション用ディスプレイ２０を選択して送信するルーティング処理部１２と、通信インターフェース部１３とを備えている。
通信インターフェース部１３は、ケーブルモデムである。
【００１２】
映像オークション用ディスプレイ２０は、通信インターフェース部２１と、通信インターフェース部２１で受信した通信データから固定表示データＳとリアルタイム表示データＲと制御データＣを分離抽出するデータ分離部２２と、制御データＣに含まれるオーバーレイ表示フォーマットを保持するオーバーレイ表示フォーマット保持部２３と、最新の固定表示データＳと最新のリアルタイム表示データＲとを保持する表示データ保持部２４と、オーバーレイ表示フォーマットに基づいて最新の固定表示データＳと最新のリアルタイム表示データＲとを合成して映像を作成するオーバーレイ処理部２５と、オーバーレイ処理部２５で作成した映像を表示するＬＣＤ表示部２６とを備えている。
通信インターフェース部２１は、ケーブルモデムである。
【００１３】
（１）Ａレーン競りサーバ１は、競り開始前に、売り手Ａにかかる商品についての固定表示データＳとリアルタイム表示データＲとをルーティング処理部１２へ出力する
（２）Ｂレーン競りサーバ２は、競り開始前に、売り手Ｂにかかる商品についての固定表示データＳとリアルタイム表示データＲとをルーティング処理部１２へ出力する
（３）オーバーレイ表示フォーマット設定部１１は、オーバーレイ表示フォーマットを含む制御データＣをルーティング処理部１２へ出力する
（４）ルーティング処理部１２は、売り手Ａにかかる商品についての固定表示データＳとリアルタイム表示データＲと、売り手Ｂにかかる商品についての固定表示データＳとリアルタイム表示データＲと、制御データＣとをすべての映像オークション用ディスプレイ装置２０へ通信インターフェイス部１３からＩＰマルチキャスト送信する。なお、固定表示データＳと、リアルタイム表示データＲと、制御データＣとは、異なるＩＰフレームで送信する。
【００１４】
（５）通信インタフェース部２１は、通信ケーブル３０からの通信データを受信し、データ分離部２２に渡す。
（６）データ分離部２２は、通信データから固定表示データＳとリアルタイム表示データＲと制御データＣを分離抽出し、制御データＣはオーバーレイ表示フォーマット保持部２３へ出力し、固定表示データＳとリアルタイム表示データＲは表示データ保持部２４へ出力する。
（７）オーバーレイ表示フォーマット保持部２３は、制御データＣに含まれるオーバーレイ表示フォーマットを保持する。表示データ保持部２４は、最新の固定表示データＳと最新のリアルタイム表示データＲを保持する。
（８）オーバーレイ処理部２５は、オーバーレイ表示フォーマット保持部２３に保持したオーバーレイ表示フォーマットに基づいて、表示データ保持部２４に保持した固定表示データＳとリアルタイム表示データＲとを合成して映像を作成し、ＬＣＤ表示部２６へ出力する。なお、オーバーレイ処理部２５では、
（９）ＬＣＤ表示部２６は、映像を表示する。
【００１５】
図２に、ＬＣＤ表示部２６に表示される映像を例示する。
固定表示データＳは、商品の外観や仕様などであり、競り中に変化しない。
リアルタイム表示データＲは、競り価格などであり、競り中に変化する。
【００１６】
（10）各買い手は、ＬＣＤ表示部２６に表示される映像を見て、Ａレーンの競りに参加するかＢレーンの競りに参加するかを選択し、ルーティング処理部１２へ通知する。この通知方法・手段は、従来公知の方法・手段を用いればよい。
（11）ルーティング処理部１２は、Ａレーンの競りに参加する買い手とＢレーンの競りに参加する買い手とを記憶し、Ａレーンの競りに参加する買い手の映像オークション用ディスプレイ装置２０へは売り手Ａにかかる商品についての固定表示データＳとリアルタイム表示データＲのみを送信し直し、Ｂレーンの競りに参加する買い手の映像オークション用ディスプレイ装置２０へは売り手Ｂにかかる商品についての固定表示データＳとリアルタイム表示データＲのみを送信し直す。よって、以後は、Ａレーンの競りに参加する買い手の映像オークション用ディスプレイ装置２０には売り手Ａにかかる商品についての固定表示データＳとリアルタイム表示データＲのみが表示され、Ｂレーンの競りに参加する買い手の映像オークション用ディスプレイ装置２０には売り手Ｂにかかる商品についての固定表示データＳとリアルタイム表示データＲのみが表示される。
【００１７】
（12）ルーティング処理部１２は、競り中は、最新のリアルタイム表示データＲのみを繰り返し送信し、固定表示データＳは競り中に送信しない。ただし、リアルタイム表示データＲよりも少ない頻度で固定表示データＳを送信してもよい。
図３に、ＬＣＤ表示部２６に表示される映像を例示する。
リアルタイム表示データＲの競り価格が競り中に変化するので、買い手は、競り価格を見て応札する。
【００１８】
実施例１の映像オークション・システム１００によれば、リアルタイム表示データＲは競り中に繰り返し送信するが、固定表示データＳは競り中に送信しないか又はリアルタイム表示データＲよりも少ない頻度で送信するので、競り中のトラフィック量が小さくなり、競りに参加可能な買い手数を増加させても、全買い手での競り価格のリアルタイム性を担保することが出来る。
【産業上の利用可能性】
【００１９】
本発明の映像オークション・システムは、会場型オークションに好適である。
【図面の簡単な説明】
【００２０】
【図１】実施例１に係る映像オークション・システムを示す構成説明図である。
【図２】競り開始前の映像を示す例示図である。
【図３】競り中の映像を示す例示図である。
【符号の説明】
【００２１】
１                    Ａレーン競りサーバ
２                    Ｂレーン競りサーバ
１０                  ホスト
１１                  オーバーレイ表示フォーマット設定部
１２                  ルーティング処理部
１３                  通信インターフェース部
２０                  映像オークション用ディスプレイ装置
２１                  通信インターフェース部
２２                  データ分離部
２３                  オーバーレイ表示フォーマット保持部
２４                  表示データ保持部
２５                  オーバーレイ処理部
２６                  ＬＣＤ表示部
１００                映像オークション・システム
【図１】
2007150568.tif 000003
【図２】
2007150568.tif 000004
【図３】
2007150568.tif 000005